(57)【要約】【課題】電気通信ネットワークにおいて、迷惑メッセージ（スパム）をブロックするための方法および装置を提供する。【解決手段】ネットワークのロケーション・サーバは、スパム・メッセージの発生源、または特定の宛先が受信することを望んでいないメッセージの発信源であることが知られている、または信じられているメッセージ発信源のブラック・リストを格納する。移動体ネットワークのホーム・ロケーション・レジスタ（ＨＬＲ）またはインターネット・プロトコル・ネットワークのホーム・サブスクライバ・サーバ（ＨＳＳ）などのロケーション・サーバにロケーション問い合わせが行われ、そこに、スパム・メッセージの発信源と考えられることでブラック・リストに掲載されている発信源のテーブルが格納される。都合のよいことに、この処置方法では、スパム・メッセージを識別するためにネットワーク資源を使用して広範なチェックを行わなくて済む。【選択図】図１
2006178999.tif 000002
【特許請求の範囲】
【請求項１】
電気通信ネットワークにおいて、望まないメッセージ又は音声の接続をブロックする方法であって、
前記電気通信ネットワークのスイッチで呼要求を受信するステップ、
前記呼要求の被呼側の位置を識別するためにロケーション・サーバのサービスを要求するステップ、
前記ロケーション・サーバにおいて、前記呼要求の発信源が接続を拒否すべき発信源のブラック・リストに載っているかどうかをチェックするステップ、及び
前記宛先が前記ブラック・リストに載っていることを検出したことに対する応答として、応答メッセージを前記スイッチに送信し、前記呼要求で指定された接続の確立を拒否するステップからなる方法。
【請求項２】
前記ブラック・リストは、特定の宛先への接続を拒否すべき発信源のリストを含む請求項1に記載の方法。
【請求項３】
発信源の前記ブラック・リストは、全ての宛先への接続を拒否すべき発信源の１以上のリストを含む請求項１に記載の方法。
【請求項４】
前記ロケーション・サーバは移動体通信システムのホーム・ロケーション・レジスタである請求項１に記載の方法。
【請求項５】
前記ロケーション・サーバはインターネットのホーム・サブスクライバ・サーバである請求項１に記載の方法。
【請求項６】
電気通信ネットワークにおいて、望まないメッセージ又は音声の接続をブロックする装置であって、
前記電気通信ネットワークのスイッチで呼要求を受信する手段、
前記呼要求の被呼側の位置を識別するためにロケーション・サーバのサービスを要求する手段、
前記ロケーション・サーバにおいて、前記呼要求の発信源が接続を拒否すべき発信源のブラック・リストに載っているかどうかをチェックする手段、及び
前記宛先が前記ブラック・リストに載っていることを検出したことに対する応答として、応答メッセージを前記スイッチに送信し、前記呼要求で指定された接続の確立を拒否する手段からなる装置。
【請求項７】
前記ブラック・リストは、特定の宛先への接続を拒否すべき発信源のリストを含む請求項６に記載の装置。
【請求項８】
発信源の前記ブラック・リストは、全ての宛先への接続を拒否すべき発信源の１以上のリストを含む請求項６に記載の装置。
【請求項９】
前記ロケーション・サーバは移動体通信システムのホーム・ロケーション・レジスタである請求項６に記載の装置。
【請求項１０】
前記ロケーション・サーバはインターネットのホーム・サブスクライバ・サーバである請求項６に記載の装置。
【発明の詳細な説明】
【技術分野】
【０００１】
本発明は、迷惑（スパム）メッセージを検出しブロックする際に使用するブラック・リストの格納に関するものである。
【背景技術】
【０００２】
インターネットが出現してから、送信者が費用をほとんど、または全く負担せずに、複数のメッセージを数多くの宛先に簡単に送信できるようになってしまった。これらのメッセージは、ショート・メッセージ・サービスのショート・メッセージを含む。これらのメッセージは、メッセージを消去する作業、および重要かどうかを判定する作業を行わなければならないメッセージの受信者にとって不愉快な勝手に送り付けられる迷惑メッセージ（スパム）を含む。さらに、これらのメッセージを伝送するために使用される電気通信ネットワークの通信事業者にとって非常に厄介なのは、スパムが殺到したことで客が怒るという顧客関係問題に発展することが理由であるだけでなく、これらのメッセージは、通常、収益にほとんど、または全く結びつかないのに、ネットワーク資源を使うというのも理由である。この問題の重大性は、以下の２つの統計から説明される。２００３年、中国では、２０兆件のショート・メッセージ・サービス（ＳＭＳ）メッセージが中国の電気通信ネットワークに送信されたが、これらのメッセージのうち３／４がスパム・メッセージと推定された。第２の統計は、米国内の電子メール・メッセージの推定８５％〜９０％はスパムであることを示している。
【０００３】
配信される多数のスパム・メッセージを削減する多数の処置方法が提案され、多くが実装された。配信する前にメッセージを解析するさまざまな処置方法が提案されている。１つの処置方法によれば、起呼側が被呼側によって指定された事前選択グループのうちの１つでない場合に、そのメッセージはブロックされる。スパム・メッセージは、さらに、Ｎ個を超える宛先を宛先指定するメッセージはいっさい、配信されないように被呼側が指定することを許可することによりインターセプトすることもできる。
【０００４】
被呼側は、自分の電話番号または電子メール・アドレスを公開することを拒絶することができる。起呼側が被呼側の電話番号または電子メール・アドレスを検索することを許可しないことの明白な欠点に加えて、このような処置方法は効果がない可能性が高い。非公開電子メール・アドレスは、例えば、ルータでメッセージ・ヘッダを監視することにより、ＩＰネットワークから高度なハッカーが検出することができる。非公開被呼番号にしても、起呼側がメッセージを市内局番の１０，０００件の電話番号すべてに送信することを単に誘うだけであり、上述のように、これは、メッセージを複数の宛先に送る現在の処理方法では非常に容易である。
【発明の開示】
【発明が解決しようとする課題】
【０００５】
大半のスパム・メッセージは、ブラック・リスト、つまり、個々の宛先端末がメッセージを受け入れることを望まない発信源のリストを通じて検出される。メッセージがスパム・メッセージであるかどうかの判定は、非常に大量のデータ処理を必要とすることが多い難しい問題である。したがって、発信源がブラック・リストに載っている場合でも、メッセージをスパム・メッセージであるとすばやく識別できる処置方法を用意することが望ましいであろう。
【課題を解決するための手段】
【０００６】
ブラック・リストが、移動体ネットワークのホーム・ロケーション・レジスタ（ＨＬＲ）またはインターネットのホーム・サブスクライバ・サーバ（ＨＳＳ）などのサーバに格納される本発明により従来技術を超える進歩がある。これらのサーバは、電話番号またはインターネット識別子、またはショート・メッセージ・サービスの場合にはモバイル・ディレクトリ番号などの起呼側が提供するアドレスに関連付けられた通信端末を識別するために使用される。被呼側のロケーションを識別することはメッセージ接続をセットアップするプロセスの一環として必要なステップである、したがってＨＬＲまたはＨＳＳなどのロケーション・サーバにアクセスする必要があるため、その機会を利用して、起呼側のＩＤが被呼側の他のデータとともに格納されているブラック・リストに載っているかどうかを判定するようにするとよい。
【０００７】
ネットワーク・ノード（ゲートウェイ移動交換局、相互接続移動交換局、ＳＭＳセンター、マルチメディア・メッセージ・サービス（ＭＭＳ）センター、電子メール・サーバ、またはＩＰルータなど）がネットワーク（ＳＳ７またはＩＰ）からＳＭＳメッセージを受信した場合、送信者の妥当性を確認するためロケーション・サーバをチェックし、ＳＭＳ受信者のルーティング・アドレスを見つける必要がある。問い合わせメッセージには、送信者および／または受信者アドレス情報が含まれる。その後、ロケーション・サーバは、ブラック・リストを使用して問い合わせメッセージをスクリーニングし、送信者のＩＤの１つまたは複数がブラック・リストに載っているかどうかを確認し、もし載っていれば、ロケーション・サーバは、発信源がスパム・ショート・メッセージまたはメッセージの発信源であることを示すエラー・メッセージで発信ネットワーク・ノードに応答する。その後、ネットワーク・ノードは、スパムＳＭＳに関連付けられた呼詳細レコードを生成することができる。スパムＳＭＳメッセージは、解析の完了後に削除するか、または記録保持のため格納することができる。スクリーニングが成功し、スパム表示が見つからない場合、ロケーション・サーバは、通常のロケーション・サービスを実行し、受領確認を要求ネットワーク・ノードに返す。
【発明を実施するための最良の形態】
【０００８】
図１は、出願者の発明のオペレーションを示すブロック図である。スイッチ１０（モバイル・スイッチまたはランドライン・スイッチだけでなく、ゲートウェイ・スイッチ、インターワーキング・スイッチ、ＳＭＳＣ、ＭＭＳＣ、電子メール・サーバ）は、呼要求メッセージ１１を受け取る。呼要求メッセージは、移動交換局から来る場合がある。とにかく、スイッチ１０は、被呼側の現在位置の指示を含む呼を完了する方法に関する情報についての要求をロケーション・サーバ１に送るスイッチである。ロケーション・サーバは、モバイルまたはショート・メッセージ・サービス・ネットワークの場合にはホーム・ロケーション・レジスタであるか、またはインターネット・プロトコル・ネットワークではホーム・サブスクライバ・サーバである。通常のファンクションを実行するのに加えて、ロケーション・サーバは、出願者の発明の原理により、スパム・メッセージを生成するものとして識別されたメッセージ発信源のブラック・リストを含む。ロケーション・サーバは、宛先識別２１、．．．、２２、．．．、２３のリスト２を含む。ロケーション・サーバは、発信源および宛先ＩＤを含む要求メッセージ４０を受け取る。ロケーション・サーバは、メッセージ４０で指定された宛先のブラック・リストへのポインタを含む宛先ＩＤテーブル、この場合はエントリ２２をチェックする。宛先識別エントリ２２内のポインタにより指されているブラック・リストであるブラック・リスト３０のチェックの結果、ロケーション・サーバは、発信源がスパム発信源であることを示すスパム・ステータス・メッセージ５０を生成する。
【０００９】
出願者の発明の一特徴によれば、ロケーション・サーバは、さらに、スパム・メッセージの発信源として知られている、スパム・メッセージがブロックされなければならない一般的ブラック・リスト３５も格納する。メッセージ４０で指定された発信源がテーブル３５に格納されているそのような発信源のリストに載っている場合、この事実を示すスパム・ステータス・メッセージ５０が生成される。
【００１０】
スパム・ステータス・メッセージ５０は、ロケーション・サーバの完全な応答をロケーション・サーバ要求４０に与える、より長いメッセージ（図に示されていない）の一部である。
【００１１】
宛先ＩＤがテーブル２内に見つからないか、発信源がテーブル３０または３５内に見つからない場合、スパム・ステータス・メッセージ５０は、ブラック・リストの観点からスパム・ステータスは満足できるものであることを示す。その後、他のスパム・テストを実行することができる。都合のよいことに、この方法でブラック・リスト・チェックを実行すると、ブランク・リスト・エントリが見つかった場合にさらに複雑なスパム・チェックを実行するための処理資源の利用を省くことができる。
【００１２】
ブラック・リスト・エントリが見つかった場合、スイッチ１０は、エラー・メッセージ１２を呼要求の発信源に送信するか、または単純にメッセージ接続の完了をさらにブロックすることができる。さらに、スパム・ステータスおよびブラック・リスト・エントリに含まれる追加情報に応じて、スイッチは、スパム・メッセージを記録し、および／またはレポートを生成して通信事業者に送ることができる。スイッチ１０およびネットワーク管理では、スパム発信源およびスパム・メッセージに対しさらにスパム防止解析を実行することができる。
【００１３】
この説明は、主に、ショート・メッセージ・サービスおよびインターネット接続を対象としているが、通常のモバイル・メッセージ接続、およびＶｏｉｃｅ  ｏｖｅｒ  Ｉｎｔｅｒｎｅｔ  Ｐｒｏｔｏｃｏｌ接続および音声モバイル接続を含む音声接続に使用することもできる。ブラック・リスト・エントリは、個々の発信源（モバイル・ディレクトリ番号（ＭＤＮ）、モバイル識別番号（ＭＩＮ）電子メール・アドレス、ＩＰアドレスおよびネットワークまたはシステム発信源（ネットワークＩＤ、ドメイン名、アプリケーション・サーバＩＤ（およびアドレス））などのさまざまな発信源を格納することができる。ブラック・リスト・エントリは、さらに、サービス・タイプ、メッセージ・タイプ、コンテンツ・タイプ、およびブラック・リストに載るようなその他の情報を格納することもでき、例えば、ショート・メッセージ・サービス・コールをブロックし、モバイル音声接続を許可する（またはその逆）ことができる。電子メール・アドレスの場合、ブラック・リストは、電子メール・サーバだけでなく電子メール受取人のＩＤも格納する。
【００１４】
上記の説明は、出願者の発明の好ましい一実施形態の説明である。他の実施形態は、本発明の範囲から逸脱することなく当業者には明らかであろう。本発明は、添付の特許請求の範囲によってのみ限定される。
【図面の簡単な説明】
【００１５】
【図１】出願者の発明のオペレーションを例示するブロック図である。
【図１】
2006178999.tif 000003